(57)【要約】【課題】遊技場内の温度調整状態に拘らず、個々の遊技者に対して快適に遊技できる体感温度とすることが可能な機能を備えた遊技機を提供する。【解決手段】遊技場の島設備に固定される外枠１、遊技盤ベースに種々の遊技部材を備えて遊技領域を構成した遊技盤が着脱自在に装着される内枠２と、ガラス板４を介して遊技盤を視認可能に配設されるフロント扉３とを備えた遊技機(弾球遊技機)において、所定の温度の空気を発生させる空気発生手段と、発生させた空気を遊技者に向けて放出するための放出手段とを備え、空気発生手段として、空気を所定の温度に暖めるための熱を発生させる発熱手段を備えるとともに、発熱手段により発生させた熱を逃さないようにするハウジングを設け、空気発生手段により発生した所定温度の空気を、放出手段４１から放出させるための風を発生させる送風手段を備える。【選択図】図１
2009136496.tif 000002
【特許請求の範囲】
【請求項１】
所定の温度の空気を発生させる空気発生手段と、
発生させた空気を遊技者に向けて放出するための放出手段を備えたことを特徴とする遊技機。
【請求項２】
前記空気発生手段は、前記空気を所定の温度に暖めるための熱を発生させる発熱手段を備えることを特徴とする請求項１に記載の遊技機。
【請求項３】
前記発熱手段により発生させた熱を逃さないようにするハウジングが設けられていることを特徴とする請求項２に記載の遊技機。
【請求項４】
前記空気発生手段により発生した所定温度の空気を、前記放出手段から放出させるための風を発生させる送風手段を備えることを特徴とする請求項１乃至３のいずれかに記載の遊技機。
【請求項５】
前記空気発生手段と前記放出手段の始動および停止、該空気発生手段により発生させる空気の温度、並びに該放出手段から放出させる空気の放出量を前記遊技者が制御するための空調制御手段を備えることを特徴とする請求項１乃至４のいずれかに記載の遊技機。
【発明の詳細な説明】
【技術分野】
【０００１】
本発明は、遊技場に配設される弾球式遊技機(例えば、パチンコ機)や回胴式遊技機(例えば、パチスロ機、スロットマシン)などの遊技機に関する。
【背景技術】
【０００２】
一般的に、遊技場では、複数台の遊技機(一例として、パチンコ機)を並べて配設して構成された遊技島が複数列並び、複数の遊技者が所定の遊技機で同時に遊技を行うことができるようになっている。かかる遊技場においては、限られた空間内で複数の遊技者が同時に長時間に亘って遊技を行うため、その遊技環境を快適に保つべく、空調装置などによって遊技場内の温度調整や換気が行われている(特許文献１参照)。例えば、夏場であれば空調装置によって冷風が遊技場内に送出されるのに対し、冬場であれば空調装置によって温風が遊技場内に送出されて、いずれも場内の温度が適温に保たれている。また、このような遊技場内の温度調整と併せ、たばこの煙などを遊技場外へ排出するとともに、清浄な空気を遊技場内へ送出する換気が行われている。これにより、四季を通じて遊技者が快適に遊技を行うことができる環境を提供している。
【特許文献１】登録実用新案第３００３０６３号公報
【発明の開示】
【発明が解決しようとする課題】
【０００３】
しかしながら、遊技場はその敷地が広い場合が多く、例えば、多数の遊技者が該遊技場内に偏在していると、該偏在する遊技者全員が快適に遊技できるような場内温度に調整できない場合がある。
また、暑さや寒さの感覚は、個々の遊技者によって異なるため、遊技場内で遊技を行っている遊技者全員が快適に遊技できるように、該場内温度を集中的に管理して調整することは困難である。例えば、夏場には、冷房が強すぎると感じた遊技者が長時間継続して遊技できない状況となりやすく、冬場には、暖房が弱すぎると感じた遊技者が長時間継続して遊技できない状況となりやすい。
その際、毛布などの貸し出しをサービスとして提供している遊技場も存在するが、他人が使用していた毛布を使用したくないという遊技者は多い。また、ある遊技者にとっては冷房が強すぎる(あるいは、暖房が弱すぎる)と感じる温度状態であっても、その周囲の遊技者にとっては快適な温度である場合もあり、遊技者自身が空調装置の停止を申し出ることは躊躇されやすく、また、遊技場側も特定の遊技者の申し出によって空調装置を停止させる対応は、他の遊技者を配慮して取りにくい。
【０００４】
本発明は、このような問題を解決するためになされており、その目的は、遊技場内の温度調整状態に拘らず、個々の遊技者に対して快適に遊技できる体感温度とすることが可能な機能を備えた遊技機を提供することにある。
【課題を解決するための手段】
【０００５】
このような目的を達成するために、第１の発明は、所定の温度の空気を発生させる空気発生手段と、発生させた空気を前記遊技者に向けて放出するための放出手段を備えたことを特徴とする遊技機としたことである。
【０００６】
第１の発明によれば、遊技場内の温度調整状態に拘らず、個々の遊技者が快適に遊技できる体感温度となるように、該遊技者自身の近傍のみを自由に温度調整することが可能となる。
【０００７】
第２の発明は、第１の発明において、前記空気発生手段は、前記空気を所定の温度に暖めるための熱を発生させる発熱手段を備えることを特徴とする遊技機としたことである。
第２の発明によれば、夏場の冷房の効き過ぎ、あるいは冬場の暖房の温度不足の際、所定の遊技者のみを暖めることができる。
【０００８】
第３の発明は、第２の発明において、前記発熱手段により発生させた熱を逃さないようにするハウジングが設けられていることを特徴とする遊技機としたことである。
第３の発明によれば、遊技者に対して効率よく温風を送ることができるとともに、遊技機における他の制御回路や部品などへ熱が伝達することによる不都合を防止することができる。
【０００９】
第４の発明は、第１乃至第３の発明のいずれかにおいて、前記空気発生手段により発生した所定温度の空気を、前記放出手段から放出させるための風を発生させる送風手段を備えることを特徴とする遊技機としたことである。
第４の発明によれば、空気発生手段により発生した空気を効率よく遊技者へ送り出すことができる。
【００１０】
第５の発明は、第１乃至第４の発明のいずれかにおいて、前記空気発生手段と前記放出手段の始動および停止、該空気発生手段により発生させる空気の温度、並びに該放出手段から放出させる空気の放出量を前記遊技者が制御するための空調制御手段を備えることを特徴とする遊技機としたことである。
第５の発明によれば、空気の発生および放出のタイミング、並びに空気の温度や放出量を遊技者のニーズに応じて自由に調整することができる。
【発明の効果】
【００１１】
本発明によれば、遊技場内の温度調整状態に拘らず、個々の遊技者に対して快適に遊技できる体感温度とすることが可能な機能を備えた遊技機を提供することができる。
【発明を実施するための最良の形態】
【００１２】
以下、本発明の遊技機の一実施形態について、添付図面を参照して説明する。なお、本実施形態は本発明に係る遊技機の一例に過ぎず、何らこれに限定解釈されるものではなく、本発明の範囲内で設計変更可能である。なお、ここでは、本発明に係る遊技機の一例として弾球遊技機(いわゆるパチンコ機)を挙げて説明するが、回胴式遊技機(例えば、パチスロ機、スロットマシン等)など、その他の遊技機も対象である。
【００１３】
図１及び図２には、本実施形態に係る遊技機(弾球遊技機)の構成が示されている。かかる弾球遊技機は、遊技場の島設備(図示しない)に固定される外枠１と、該外枠１にヒンジなど(図示しない)を介して回動可能に取り付けられ、遊技盤ベース１８に種々の遊技部材を備えて遊技領域Ａを構成した遊技盤１９が着脱自在に装着される内枠(本体枠)２と、この内枠２の前面側にて開閉可能に軸支され、ガラス板４を介して前記遊技盤１９を視認可能に配設されるフロント扉(ガラス扉)３とを備えて構成されている。なお、該遊技盤１９の背面には図示しない表示装置が着脱自在に装着されている。
【００１４】
遊技部材は、弾球遊技機において遊技に必要な全ての部材を言い、例えば図２に示すように、遊技球が転動する表側の遊技領域Ａを区画するとともに、該表側の遊技領域Ａに発射ソレノイド(図示しない)から打ち出される遊技球を導く発射通路を構成するガイドレール１５、表示装置の変動表示を起動させるとともに、大当たりとするか否かの抽選処理を起動させる始動入賞装置(始動入賞口ともいう)１０、大当たり時に開放するアタッカと称する特別電動役物の大入賞装置(大入賞口ともいう)１１、遊技球が入賞することにより遊技球の払い出しを起動させる一般入賞装置(一般入賞口ともいう)１２、遊技領域での入賞を逃したアウト球を排出するアウト口１３、遊技盤ベース１８に打たれている図示しない多数の遊技釘、そして遊技球が転動可能なステージ１６、天通路１７などの各部材が挙げられる。
【００１５】
遊技盤ベース１８は、前記各遊技部材を固定でき、かつ、容易に変形しない(曲がらない)又は変質しない程度の硬度・強度等を有する材質で形成されている。また、遊技盤ベース１８は、少なくともその一部が無色透明のアクリル樹脂材、ポリカーボネート樹脂、ポリアリレート樹脂などの透明性の高い硬質の合成樹脂材(透明部材)で形成され、裏側に配設される表示装置がその透明部材を介して視認可能とする。
また、樹脂以外の材質、例えばガラスなどを採用することも本発明の範囲内であり設計変更可能である。
なお、遊技盤ベース１８を介して遊技盤裏側の表示装置を視認可能とする構成を採用しない場合には、遊技盤ベース１８全体が非透明部材からなるものであっても構わない。
【００１６】
前記フロント扉３を軸支した内枠２の前面下部には、皿ユニット２０が回動自在に軸支されており、この皿ユニット２０の取付ベース２１には、図１,２では図示しない払出装置から払い出された遊技球が遊技球受入口５ａから供給されるとともに、図示しない発射装置へと遊技球を供給するための遊技球供給皿(上皿)５と、該遊技球供給皿５の満杯時に遊技球受入口５ａの内方で溢れ出た球(溢出球)を排出する下皿排出口６ａを有する下皿６が一体的に備えられている。
また、この下皿６には、発射ハンドル７の操作によって発射装置より発射されたが、遊技領域Ａに到達しない遊技球(ファール球)と、遊技球供給皿５に備えられた球抜取装置５ｂを操作することによって、遊技球供給皿５から抜き取られた遊技球(抜取球)が、前記下皿排出口６ａを介して排出される。
【００１７】
本実施形態において、かかる弾球遊技機には、所定の温度の空気を発生させる空気発生手段と、発生させた空気を遊技者に向けて放出するための放出手段が備えられている。
空気発生手段は、発生させる空気の温度を任意に調整可能な手段であれば、前記空気を所定の温度に暖めるための熱を発生させる発熱手段であってもよいし、前記空気を所定の温度に冷やすための冷却手段であってもよい。
例えば、空気発生手段を発熱手段とした場合、該発熱手段によって空気を遊技場の場内温度よりも高い所定の温度まで暖めることが可能な暖房機構を構築することができる。一方、空気発生手段を冷却手段とした場合、該冷却手段によって空気を遊技場の場内温度よりも低い所定の温度まで冷やすことが可能な冷房機構を構築することができる。また、空気発生手段を発熱冷却手段とした場合、該発熱冷却手段によって空気を遊技場の場内温度に対して高低自在に温度調整可能な冷暖房機構を構築することができる。
【００１８】
一例として、本実施形態においては、空気発生手段が発熱手段として構成された場合を想定する。これにより、例えば、夏場における遊技場内の冷房の効き過ぎ、あるいは冬場における遊技場内の暖房の温度不足の際、弾球遊技機で遊技を行っている遊技者に向けて温風を放出し、該遊技者のみを暖めることができる。
この場合、発熱手段は、空気を所定の温度まで暖めることが可能な機構であれば、その構成については特に限定されず、例えば、熱線(ニクロム線等)やランプ(ハロゲンランプ等)、および遠赤外線ヒータ(セラミックヒータ等)など、任意の発熱機構(熱源)により構成することができる。
また、例えば、弾球遊技機における遊技を制御するための図示しない制御回路(制御基板)を発熱手段の熱源とし、該制御回路から放出される熱を前記放出手段から放出させる構成としてもよい。この場合には、上述したような暖房効果に加えて、弾球遊技機の内部で発生した熱を効果的に外部へ放出させる効果も併せて得ることができる。
ここでは、発熱手段を図３に示すような熱線40a,40bとした場合を、一例として想定する。
【００１９】
なお、弾球遊技機に対する発熱手段の配設位置や数などは特に限定されず、任意に設定することができるが、本実施形態においては、発熱手段(熱線40a,40b)を弾球遊技機の内枠２の上部の２箇所に、所定間隔を空けて配設させた場合を一例として想定する。
【００２０】
図３に示す構成においては、発熱手段として、所定の電源装置(図示しない)に接続されたリング状を成す２本の熱線40a,40bが同心上に並んで配設されている。熱線40a,40bは、前記電源装置からの電力の供給を受けて通電されることで発熱し、その熱により該熱線40a,40b近傍の空気(雰囲気)を所定の温度まで暖めることができる。この場合、熱線40a,40bは、真っ直ぐに延出する電線をそのまま単にリング状にした構造(直線構造)としてもよいが、電線を螺旋を成してリング状にした構造(螺旋構造)とすることが発熱効率の観点から好ましい。すなわち、螺旋構造の熱線40a,40bでは、直線構造の熱線40a,40bを同一径のリング状にした場合と比べ、空気中に延出する部位をより長くすることができるため、空気に接する表面積を直線構造よりも拡大させることができる。この結果、熱線40a,40b近傍の空気量(雰囲気量)を増大させ、より一層効率よく空気(雰囲気)を暖めることができる。
【００２１】
なお、図３には、一例として２本の熱線40a,40bを配設した発熱手段の構成を示しているが、かかる熱線の本数はこれに限定されず、例えば、熱線を１本のみ配設した構成としてもよいし、３本以上の熱線を配設した構成であってもよい。
【００２２】
また、図１,２に示す構成において、弾球遊技機には、放出手段として排気機構がフロント扉３に備えられており、該排気機構は、フロント扉３を閉めた状態において、前記発熱手段(一例として、熱線40a,40b)の配設領域と対向するように位置決め配置されている。これにより、熱線40a,40bにより発生させた所定温度の空気(暖気)は、該排気機構によって遊技者に向けて排気される構造となっている。この場合、排気機構は、フロント扉３を前面側から背面側まで貫通する排気孔４１として構成されており、その前面側の端部に遊技者へ向けた開口(以下、排気口という)４１ｆが形成されているとともに、その背面側の端部に発熱手段である熱線40a,40bの配設領域と連通可能な開口(以下、連通口という)４１ｂが形成されている。
【００２３】
一例として、図１,２には、排気孔４１を径寸法が一定の円形孔とし、同心状、かつ放射状に複数の仕切り部材４２が設けられた排気口４１ｆをフロント扉３の上部に２箇所、所定間隔を空けて開口させた排気機構の構成が示されている。この場合、各排気口４１ｆには、その上側に該排気口４１ｆから凸曲面状に突出する庇部材４３がそれぞれ設けられており、該庇部材４３を設けることで、熱線40a,40bにより暖められた空気(暖気)を後述する送風手段によって弾球遊技機の前方下側へ排気(放出)させることができる。これにより、遊技者へ向けて弾球遊技機の上方から下方へ暖気を確実に排気(放出)させることができ、前記遊技者へ該暖気を満遍なく当てることができる。
【００２４】
ここで、排気孔４１、排気口４１ｆおよび連通口４１ｂの配設位置、大きさ、形状、および数は、例えば、発熱手段(一例として、熱線40a,40b)の配設位置、弾球遊技機の遊技盤の大きさや形状などに応じて任意の設定とすることができ、図１,２に示す構成には限定されない。例えば、排気孔４１を楕円形孔や矩形孔などとした構成としてもよいし、あるいは、排気口４１ｆをフロント扉３のガラス板４を挟んで両側に１箇所ずつ、熱線40a,40bの配設領域と連通可能に開口させた構成や、フロント扉３の上部に１箇所だけ前記配設領域と連通可能に開口させた構成としてもよい。
【００２５】
なお、仕切り部材４２は、その角度などを変更することで、暖気(温風)の風向きおよび風量を調整可能な構造とすることができる。その際、かかる風向きおよび風量の調整は、例えば、弾球遊技機に設けられた調整ボタン(図示しない)などを操作することで自動的に行ってもよいし、遊技者が仕切り部材４２を手動で直接操作するようにしてもよい。
【００２６】
また、本実施形態において、弾球遊技機には前記放出手段である排気機構(一例として、排気孔４１)に加えて、前記発熱手段(一例として、熱線40a,40b)により発生させた所定温度の空気(暖気)を、前記放出手段(排気孔４１)から放出させるための風を発生させる送風手段が備えられている。これにより、熱線40a,40bにより暖められた空気(暖気)を効率よく遊技者へ送り出すこと、すなわち遊技者へ向けて温風を送出することができる。
【００２７】
この場合、送風手段としては、前記放出手段(一例として、排気孔４１)から放出させるための風を発生させることが可能な機構であれば特に限定されず、任意の送風機構を適用することができる。送風機構の一例として、図３には、所定の電源装置(図示しない)に接続され、所定方向に延出する軸(以下、回転軸という)４４ｓを回転させるモータ４４ｍと、該回転軸４４ｓの先端に取り付けられた複数の羽４４ｗから成るファン機構(以下、ファン４４という)の構成が示されている。
【００２８】
図３に示す構成において、ファン４４は、モータ４４ｍが熱線40a,40bに対して遊技者とは反対側に(熱線40a,40bを挟んで遊技者と対向して)配設され、その回転軸４４ｓを熱線40a,40bの方向へ突出させるとともに、該回転軸４４ｓの先端に該熱線40a,40bと所定間隔を空けて対向するように複数の羽４４ｗが取り付けられた構造を成している。このようなファン４４によれば、モータ４４ｍが前記電源装置からの電力の供給を受けて回転軸４４ｓを回転させ、これに伴って先端の複数の羽４４ｗが回転することで熱線40a,40bへ向けて風を送出することができる。
【００２９】
その際、熱線40a,40bが発熱している(通電されている)場合、該熱線40a,40bによって暖められた空気(暖気)を羽４４ｗから送出された風により排気孔４１の連通口４１ｂの方向へ移動させ、該排気孔４１の排気口４１ｆから遊技者へ向けて温風として送出することができる。その際、ファン４４から送出される温風の強さや量は、前記電源装置からモータ４４ｍへ供給される電力量に応じた回転軸４４ｓ、すなわち羽４４ｗの回転速度(回転数)を制御することにより、調整することが可能となる。なお、各羽４４ｗの大きさや形状、あるいは数などは特に限定されず、ファン４４により発生させる風量や熱線40a,40bの大きさなどに応じて任意に設定すればよい。
【００３０】
また、本実施形態において、弾球遊技機には、図３に示すように前記発熱手段(一例として、熱線40a,40b)により発生させた熱を逃さないようにするハウジング４５が設けられている。すなわち、ハウジング４５を設けることで、熱線40a,40bによって発生させた熱をハウジング４５内に閉じ込め、熱線40a,40bによる発熱効率(すなわち暖気の発生効率)を高めることができるため、遊技者に対して効率よく暖気(具体的には、温風)を送ることができる。さらに、ハウジング４５を設けることで、熱線40a,40bによって発生させた熱のハウジング４５外に対する断熱性を高めることができるため、弾球遊技機における図示しない他の制御回路や部品などへ熱が伝達することによる不都合を防止することができる。
【００３１】
ハウジング４５は、前記発熱手段(一例として、熱線40a,40b)により発生させた熱を逃さないようにすることが可能な構成であれば、その構造、大きさ、形状などは特に限定されない。図３には、内壁４５ａに囲まれ、２本の熱線40a,40bおよびファン４４の複数の羽４４ｗが該内壁４５ａと接触することなく収容される空間(以下、内層部という)４６と、該内層部４６の全体を所定の中空部４７を介して被覆する外壁４５ｂで構成される外層部４８の二層式の断熱構造を成したハウジング４５の構成が一例として示されている。
かかる二層式の断熱構造を形成する際、中空部４７を真空状態とすることで、ハウジング４５をいわゆる魔法瓶と同様の構造とすることができ、その断熱効果を格段に高めることが可能となる。
なお、中空部４７の代わりに所定の断熱材(グラスウール、ロックウールあるいはウレタンフォームなど)で成る断熱部(図示しない)を内壁４５ａと外壁４５ｂの間に隙間なく設けた断熱構造としてもよい。
【００３２】
いずれの場合であっても、ハウジング４５は、内壁４５ａの内径寸法を２本の熱線40a,40bの径寸法およびファン４４の羽４４ｗの径寸法よりもいずれも大きな寸法に設定した外郭形状が凸状(凸曲状や凸矩形状)の構造体とすればよい。
これにより、熱線40a,40bおよびファン４４の複数の羽４４ｗを内壁４５ａに接触させることなく、これらをハウジング４５内(内層部４６)に収容することができ、該内層部４６の空気(雰囲気)を該熱線40a,40bで効率よく暖めることができ、暖められた空気(暖気)を羽４４ｗによって送り出すことができる。
また、図３に示す構成において、ファン４４のモータ４４ｍは、ハウジング４５の外層部４８の外部に設けられており、その回転軸４４ｓが該ハウジング４５の外壁４５ｂおよび内壁４５ａをそれぞれ貫通し、内層部４６へ延出されるように位置付けているが、モータ４４ｍを内層部４６へ位置付けた構成としてもよい。
【００３３】
ハウジング４５をこのような断熱構造とすることで、熱線40a,40bにより発生させた熱を非常に効率よくハウジング４５の内部に閉じ込めること、すなわちハウジング４５外に対する断熱効果を高めること(別の捉え方をすれば、ハウジング４５内の熱損失を防止すること)ができる。
【００３４】
またこの場合、内壁４５ａと外壁４５ｂの一方側、具体的にはファン４４の羽４４ｗを回転させた際の送風方向側(図３の左側)には、暖気を移動させる(温風を送出する)ためのダクト４９が設けられており、該ダクト４９の開口４９ｆは、フロント扉３を閉じた状態で排気孔４１の連通口４１ｂと連通可能に位置付けられている。これにより、ハウジング４５内(内層部４６)で熱線40a,40bにより暖められた空気(暖気)を、羽４４ｗから送出された風により温風としてダクト４９から排気孔４１の連通口４１ｂへ送り出し、該排気孔４１を介してその排気口４１ｆから遊技者へ向けて放出することができる。
【００３５】
なお、ダクト４９の大きさや形状などは、連通口４１ｂと連通可能な構造であれば、ハウジング４５の大きさや形状などに応じて任意に設定すればよいため、ここでは特に限定しない。一例として、図３には、その内径寸法を内壁４５ａの最小内径寸法と略同一寸法、その外径寸法を外壁４５ｂの最小内径寸法と略同一寸法に設定した円筒構造を成すダクト４９の構成を示す。また、ダクト４９は、ハウジング４５と一体成形した構成であってもよいし、ハウジング４５とは別個の部品(例えば、各種の管材など)として構成してもよい。
【００３６】
図１,２に示す構成においては、弾球遊技機の内枠２の上部の２箇所に、所定間隔を空けて２つのハウジング４５が設けられ、各ハウジング４５にそれぞれ熱線40a,40bおよびファン４４の羽４４ｗが収容されている。そして、各ハウジング４５のダクト４９と弾球遊技機のフロント扉３の上部に２箇所、所定間隔を空けて開口させた排気孔４１とを、該ダクト４９の開口４９ｆと該排気孔４１の連通口４１ｂとが連通するように連結させることで、熱線40a,40bで暖められたハウジング４５の内層部４６の空気(暖気)を、ダクト４９を介して排気孔４１の排気口４１ｆまでファン４４によって送出するための流路を形成することができる。
【００３７】
なお、ハウジング４５(内層部４６)からダクト４９を介して排気口４１ｆに至る暖気(温風)の流路を形成することが可能であれば、弾球遊技機(内枠２やフロント扉３)に対する熱線40a,40bおよびファン４４、排気孔４１の相対的な位置関係は、図１,２に示す構成(上部の２箇所)に限定されない。
【００３８】
例えば、内枠２の上部の２箇所に、所定間隔を空けて２つのハウジング４５を設け、各ハウジング４５にそれぞれ熱線40a,40bおよびファン４４の羽４４ｗを収容するとともに、フロント扉３のガラス板４を挟んで両側に１箇所ずつ排気孔４１の排気口４１ｆを開口させ、相互に対向して位置付けられるハウジング４５と排気孔４１とをダクト４９によってそれぞれ連通させた構成であってもよい。あるいは、フロント扉３の上部に１箇所だけ排気孔４１の排気口４１ｆを開口させ、該ハウジング４５と該排気孔４１とをダクト４９によって連通させた構成であってもよい。いずれの場合も、例えば各種の管材(金属管材や樹脂チューブ材等)などでダクト４９を構成し、該ダクト４９の両端部をハウジング４５および排気孔４１の連通口４１ｂと連通させればよい。
【００３９】
このように、本実施形態に係る弾球遊技機によれば、遊技者へ向けて温風を送出することが可能な暖房機構を構築することができる。
本実施形態においては、かかる弾球遊技機には、前記空気発生手段である発熱手段(一例として、熱線40a,40b)と前記放出手段(一例として、排気孔４１)の始動および停止、該空気発生手段(熱線40a,40b)により発生させる空気の温度、並びに該放出手段(排気孔４１)から放出させる空気の放出量を前記遊技者が制御するための空調制御手段が備えられている。
【００４０】
図１,２に示す構成においては、空調制御手段として、空調制御つまみ５０が内枠２の上皿５に設けられている。この場合、空調制御つまみ５０を上皿５に対して左右方向へスライドさせることで、熱線40a,40bの始動および停止、これによる温風の温度の調整に加え、ファン４４の始動および停止、これによる風量の調整を行うことが可能な構成となっている。なお、空調制御手段は、このようなスライド式の空調制御つまみ５０には限定されず、例えば、押込式のボタンや回動式のダイヤルなどの構成でもよいし、これらの構成を任意に組み合わせた構成であってもよい。
【００４１】
具体的に説明すると、空調制御つまみ５０は、ＯＦＦ(空調停止)、送風、低温温風送出、高温温風送出の４つの空調状態を制御することができ、該空調制御つまみ５０をスライド操作するにより、遊技者が前記４つの空調状態から任意の状態を選択し、熱線40a,40bおよびファン４４を制御することができるようになっている。なお、空調制御つまみ５０の大きさや形状、配設位置などは、遊技者が容易に視認可能で、かつ操作可能であれば特に限定されず任意に設定すればよい。
【００４２】
空調制御つまみ５０が送風に設定された場合、所定の電源装置(図示しない)からファン４４に対して電力の供給が開始され、モータ４４の回転軸４４ｓの回転に伴って複数の羽４４ｗが回転を開始する。これに対し、熱線40a,40bに対しては所定の電源装置(図示しない)から電力の供給がなされず、該熱線40a,40bは通電されない。このため、熱線40a,40bは発熱せず、ハウジング４５内(内層部４６)の空気が暖められることがない。したがって、そのままの温度(略遊技場内の設定温度と同等程度)の空気がファン４４の羽４４ｗの回転により発生させた風により、ハウジング４５のダクト４９を介して排気孔４１の排気口４１ｂから遊技者へ向けて送風される。これにより、例えば、夏場における遊技場内の冷房不足、あるいは冬場における遊技場内の暖房の効き過ぎなどを遊技者が感じた際、該遊技者の体感温度を下げることができる。
【００４３】
また、空調制御つまみ５０が低温温風送出に設定された場合、ファン４４が上述した送風設定と同様に動作制御されるのに加え、所定の電源装置(図示しない)から２つの熱線40a,40bのうち、いずれか１本(例えば、熱線４０ａ)のみに電力の供給が開始され、該熱線４０ａが通電されて発熱する。この結果、ハウジング４５内(内層部４６)の空気が暖められ、該暖気がファン４４の羽４４ｗの回転により発生させた風により、ハウジング４５のダクト４９を介して排気孔４１の排気口４１ｂから遊技者へ向けて温風となって送出される。これにより、例えば、夏場における遊技場内の冷房の効き過ぎ、あるいは冬場における遊技場内の暖房の温度不足などを遊技者が感じた際、該遊技者の体感温度を上げることができる。なお、その際、２つの熱線40a,40bのうち、いずれか１本(例えば、熱線４０ａ)のみを発熱させるため、２つの熱線40a,40bを発熱させた場合と比べ、その発熱量を抑えること、すなわち温風の温度を低温に設定することができる。
【００４４】
さらに、空調制御つまみ５０が高温温風送出に設定された場合、ファン４４が上述した送風設定と同様に動作制御されるのに加え、上述した低温温風送出設定で通電された一方の熱線(例えば、熱線４０ａ)だけでなく、他方の熱線(例えば、熱線４０ｂ)にも所定の電源装置(図示しない)から電力の供給が開始され、該熱線４０ｂが通電されて発熱する。すなわち、２本の熱線40a,40bがいずれも発熱した状態となる。この結果、上述した低温温風送出設定の場合よりも熱線40a,40bの発熱量を増大させること、すなわち温風の温度を高温に設定することができる。したがって、例えば、夏場における遊技場内の冷房の効き過ぎ、あるいは冬場における遊技場内の暖房の温度不足などを遊技者が強く感じた際、該遊技者の体感温度を前記低温温風送出設定の場合よりも上げることができる。
【００４５】
なお、空調制御つまみ５０がＯＦＦ(空調停止)に設定された場合、該ＯＦＦ設定に設定される前の空調状態が上述した送風設定、低温温風送出設定、あるいは高温温風送出設定のいずれの状態であっても、所定の電源装置(図示しない)からファン４４に対する電力の供給が停止されるとともに、該電源装置から熱線40a,40bに対する電力の供給が停止される。したがって、ＯＦＦ設定においては、排気孔４１の排気口４１ｂから遊技者へ向けて送風されることもなく、温風が送出されることもない。これにより、例えば、夏場における遊技場内の冷房不足、あるいは冬場における遊技場内の暖房の効き過ぎなどを遊技者が感じ、空調状態を上述した送風に設定して送風させた後、快適な体感温度となった場合に任意のタイミングで該送風を停止させることができる。また、例えば、夏場における遊技場内の冷房の効き過ぎ、あるいは冬場における遊技場内の暖房の温度不足などを遊技者が感じ、空調状態を上述した低温温風送出や高温温風送出に設定して温風を送出させた後、快適な体感温度となった場合に任意のタイミングで該温風の送出を停止させることができる。
【００４６】
ここで、空調制御つまみ５０による空調状態の調整、すなわち熱線40a,40bおよびファン４４の動作を制御するための機構(制御機構)は特に限定されないが、該空調制御つまみ５０の設定位置情報の検出結果を信号として空調制御装置(図示しない)へ送信し、該空調制御装置で該信号を演算処理し、その処理結果に基づいて所定の電源装置(図示しない)から熱線40a,40bおよびファン４４に対する電力の停止、供給、並びにその供給量(電力量)を制御する機構を構築すればよい。例えば、このような空調制御を行う回路基板(図示しない)を弾球遊技機に組み込んでもよいし、前記一連の空調制御処理を実行するプログラムを所定の記憶装置(ディスク装置など(図示しない))からメモリに読み出し、ＣＰＵ(Central Processing Unit)によって演算することでかかる空調制御を行ってもよい。
【００４７】
以上、本実施形態に係る弾球遊技機によれば、遊技場内の温度調整状態に拘らず、個々の遊技者が快適に遊技できる体感温度となるように、該遊技者自身の近傍のみを自由に温度調整することができる。これにより、遊技場内のきめ細やかな温度調整が可能となり、遊技者は常に快適な環境で長時間継続して遊技を行うことができ、ユーザサービスの向上を図ることができる。
【００４８】
なお、上述した本実施形態においては、空気発生手段として発熱手段(一例として、熱線40a,40b)を設けた構成としているが、該空気発生手段を省略し、放出手段(一例として、排気孔４１)および送風手段(一例として、ファン４４)のみを備えた弾球遊技機としてもよい。これにより、例えば、夏場における遊技場内の冷房不足、あるいは冬場における遊技場内の暖房の効き過ぎなどを遊技者が感じた際、該遊技者の体感温度を下げる機構を簡易に構築することができる。
【図面の簡単な説明】
【００４９】
【図１】本発明の一実施形態に係る遊技機(弾球遊技機)の全体構成を示す斜視図。
【図２】本発明の一実施形態に係る遊技機(弾球遊技機)のフロント扉を開いた状態の全体斜視図。
【図３】空気発生手段(発熱手段)および送風手段(ファン)の構成を示す断面図。
【符号の説明】
【００５０】
１  外枠
２  内枠(本体枠)
３  フロント扉(ガラス扉)
４  ガラス板
１８  遊技盤ベース
１９  遊技盤
４０ａ，４０ｂ  発熱手段(熱線)
４１  放出手段(排気孔)
４４  送出手段(ファン)
４５  ハウジング
【図１】
2009136496.tif 000003
【図２】
2009136496.tif 000004
【図３】
2009136496.tif 000005